(57)【要約】【課題】容易に乾電池を取り出すことができるとともに、使用済み乾電池と未使用の乾電池とを取り間違えることなく、簡便に未使用の乾電池を保管することができるブリスターパックを提供する。【解決手段】天板３ａと側壁３ｂとにより構成されて、複数の乾電池ｔが並列に収納される収納部３が形成されたケース体２と、このケース体２の収納部３の開口面を閉塞させる台紙４とを備え、台紙４に乾電池ｔを少なくとも一つ取り出せるフラップ状の開封口５が設けられている陳列用のブリスターパック１において、収納部３の天板３ａに、天板３ａを水平面に載置して開封口５を上方に位置させた際に、乾電池ｔを開封口５に向かわせる傾斜手段６を設けたことを特徴とする。【選択図】図１
2010228773.tif 000002
【特許請求の範囲】
【請求項１】
天板と側壁とにより構成されて、複数の乾電池が並列に収納される収納部が形成されたケース体と、このケース体の上記収納部の開口面を閉塞させる台紙とを備え、上記台紙に上記乾電池を少なくとも一つ取り出せるフラップ状の開封口が設けられている陳列用のブリスターパックにおいて、
上記収納部の上記天板に、当該天板を水平面に載置して上記開封口を上方に位置させた際に、上記乾電池を上記開封口に向かわせる傾斜手段を設けたことを特徴とするブリスターパック。
【請求項２】
上記フラップ状の開封口は、上記乾電池の長手方向に沿って延設され、上記開封口の短手方向の両縁部がミシン目により係止されているとともに、当該長手方向の一端部側が上記台紙と一体に形成され、他端部側が断裁されていることを特徴とする請求項１に記載のブリスターパック。
【請求項３】
上記傾斜手段は、上記収納部の上記天板の外面に突出した突状部であることを特徴とする請求項１または２に記載のブリスターパック。
【請求項４】
上記傾斜手段は、上記収納部の上記天板の内面に突出した突状部であることを特徴とする請求項１または２に記載のブリスターパック。
【請求項５】
天板と側壁とにより構成されて、複数の乾電池が並列に収納される収納部が形成されたケース体と、このケース体の上記収納部の開口面を閉塞させる台紙とを備え、上記台紙に上記乾電池を少なくとも一つ取り出せるフラップ状の開封口が設けられている陳列用のブリスターパックにおいて、
上記台紙の一端部側には、上記開封口を上方に位置させた際に、上記天板側に折り返し可能な折曲部が形成され、上記乾電池を上記開封口に向かわせていることを特徴とするブリスターパック。
【請求項６】
天板と側壁とにより構成されて、複数の乾電池が並列に収納される収納部の上記側壁の縁部に、外方に延設されるフランジ部が一体に形成されたケース体と、このケース体の上記フランジ部が一体的に接合されることにより、上記収納部の開口面を閉塞させる台紙とを備え、上記台紙に上記乾電池を少なくとも一つ取り出せるフラップ状の開封口が設けられている陳列用のブリスターパックにおいて、
上記ケース体の上記フランジ部には、上記開封口を上方に位置させた際に、上記天板側に折り返し可能な折曲フラップが形成され、上記乾電池を上記開封口に向かわせていることを特徴とするブリスターパック。
【発明の詳細な説明】
【技術分野】
【０００１】
本発明は、複数個の乾電池を収納して陳列販売などするためのブリスターパックに関するものである。
【背景技術】
【０００２】
従来より、複数個の乾電池を収納して販売する際には、乾電池を収納する収納部が形成されたプラスチックケースに、このプラスチックケースの開口側を台紙により閉塞して、この台紙に予め形成された孔部を、壁面などに設けられたフックなどに引っ掛けて販売していた。その際に用いられるブリスターパックとしては、例えば、特許文献１に見られるような、円筒形電池を複数個並列に収納する寸法・形状の凸型収納部を備えた透明性のブリスターパックであって、前記凸型収納部の円筒形電池端面が対接する側壁に、隣接する円筒形電池の外周面に対接する突起部が一対設けられ、また前記凸型収納部の円筒形電池端面が対接する側壁に、円筒形電池の突設した電極端子が嵌合する凹型部が設けられているブリスターパックが提案されている。
【０００３】
また、特許文献２においては、プラスチックシートからなるケースの乾電池収納部に、複数本の乾電池が並列状態にて一括的に包装された乾電池包装体が収納されている乾電池収納体であって、乾電池収納部は、帯状のプラスチックシートの長手方向の一端部を他端部側に折り曲げて該シートに固定することにより、該シートの短手方向両側に開口したスリーブ状に形成され、該乾電池収納体の両開口部近傍に切り込みが設けられ、該切り込みの外側に乾電池包装体の乾電池収納部からの抜けを防止するための抜け防止め係止片が形成され、該抜け止め係止片は乾電池収納体の内方に向けて変形することによりその内側のエッジで乾電池包装体を係止する乾電池収納体が提案されている。
【先行技術文献】
【特許文献】
【０００４】
【特許文献１】特開２００３−１４２０５６号公報
【特許文献２】特開２００５−０９３３３４号公報
【発明の概要】
【発明が解決しようとする課題】
【０００５】
しかしながら、従来の技術である特許文献１では、上記凸型収納部の上記円筒形電池端面が対接する側壁に、隣接する上記円筒形電池の外周面に対接する突起部が一対設けられているため、上記円筒形電池は上記突起部により係止され、取り出す際には、上記円筒形電池が位置する上方を開口させる必要がある。これにより、収納されている上記円筒形電池を取り出す毎に、この円筒形電池の上方を開口させなくてはならず、手間が掛かるとともに、万一未使用の上記円筒形電池の上方まで開口してしまった場合には、上記凸型収納部より未使用乾電池が外部に飛び出してしまい、使用済みと未使用との区別が付かなくなってしまうという問題がある。
【０００６】
また、上記凸型収納部には、上記円筒形電池を係止させる突起部や凹型部を設ける必要があるため、この凸型収納部を射出成型により成型する際には、型が複雑な構造になってしまう。これにより、射出成型型を製作するコストや型のメンテナンスにコストが掛かってしまうという問題もある。
【０００７】
他方、従来の技術である特許文献２では、安価に製造されているため、プラスチックシートからなるケースの乾電池収納部に収納する際には、予め複数本の乾電池を並列状態に一括的に包装しなければならず、その為の装置を別に製作する必要がある。これにより、手間が掛かるとともに、製造コストが掛かってしまうという問題がある。
【０００８】
また、例えば、乾電池を１本のみ必要なときにでも、複数本が一括的に包装されている包装体をばらす必要があるため、その他の未使用の乾電池を収納する容器やケースを別に準備しなければならない。これにより、乾電池を使用するにあたって手間が掛かるととともに、乾電池を包装している包装体をばらすことにより、未使用の乾電池が散乱し使用済み乾電池と混ざり合ってしまうという問題もある。
【０００９】
本発明は、かかる事情に鑑みてなされたもので、容易に乾電池を取り出すことができるとともに、使用済み乾電池と未使用の乾電池とを取り間違えることなく、簡便に未使用の乾電池を保管することができるブリスターパックを提供することを課題とする。
【課題を解決するための手段】
【００１０】
上記課題を解決するために、請求項１に記載の発明は、天板と側壁とにより構成されて、複数の乾電池が並列に収納される収納部が形成されたケース体と、このケース体の上記収納部の開口面を閉塞させる台紙とを備え、上記台紙に上記乾電池を少なくとも一つ取り出せるフラップ状の開封口が設けられている陳列用のブリスターパックにおいて、上記収納部の上記天板に、当該天板を水平面に載置して上記開封口を上方に位置させた際に、上記乾電池を上記開封口に向かわせる傾斜手段を設けたことを特徴とするものである。
【００１１】
また、請求項２に記載の発明は、請求項１に記載のブリスターパックにおいて、上記フラップ状の開封口は、上記乾電池の長手方向に沿って延設され、上記開封口の短手方向の両縁部がミシン目により係止されているとともに、当該長手方向の一端部側が上記台紙と一体に形成され、他端部側が断裁されていることを特徴とするものである。
【００１２】
そして、請求項３に記載の発明は、請求項１または２に記載のブリスターパックにおいて、上記傾斜手段は、上記収納部の上記天板の外面に突出した突状部であることを特徴とするものである。
【００１３】
さらに、請求項４に記載の発明は、請求項１または２に記載のブリスターパックにおいて、上記傾斜手段は、上記収納部の上記天板の内面に突出した突状部であることを特徴とするものである。
【００１４】
また、請求項５に記載の発明は、天板と側壁とにより構成されて、複数の乾電池が並列に収納される収納部が形成されたケース体と、このケース体の上記収納部の開口面を閉塞させる台紙とを備え、上記台紙に上記乾電池を少なくとも一つ取り出せるフラップ状の開封口が設けられている陳列用のブリスターパックにおいて、上記台紙の一端部側には、上記開封口を上方に位置させた際に、上記天板側に折り返し可能な折曲部が形成され、上記乾電池を上記開封口に向かわせていることを特徴とするものである。
ブリスターパック。
【００１５】
また、請求項６に記載の発明は、天板と側壁とにより構成されて、複数の乾電池が並列に収納される収納部の上記側壁の縁部に、外方に延設されるフランジ部が一体に形成されたケース体と、このケース体の上記フランジ部が一体的に接合されることにより、上記収納部の開口面を閉塞させる台紙とを備え、上記台紙に上記乾電池を少なくとも一つ取り出せるフラップ状の開封口が設けられている陳列用のブリスターパックにおいて、上記ケース体の上記フランジ部には、上記開封口を上方に位置させた際に、上記天板側に折り返し可能な折曲部が形成され、上記乾電池を上記開封口に向かわせていることを特徴とするものである。
【発明の効果】
【００１６】
請求項１〜６のいずれかに記載の発明によれば、ブリスターパックは、複数の乾電池を並列に収納する収納部がケース本体に形成され、この収納部の天板側を水平面に載置して、上記収納部の開口面を閉塞させる台紙に設けられたフラップ状の開封口を上方に位置させた際に、上記乾電池を上記開封口に向かわせる傾斜手段を設けたため、上記乾電池を一つのみ取り出せる上記開封口であっても、上記乾電池は上記傾斜手段によって転動され、一つ取り出す度に次ぎの乾電池が上記開封口の下方に位置する。これにより、複数の乾電池のうち、必要な数だけ容易に取り出すことができるとともに、未使用の乾電池の散乱を防ぎ、使用済みの乾電池と取り違えることを防止することができる。
【００１７】
また、請求項２に記載の発明によれば、上記フラップ状の開封口が、上記乾電池の長手方向に沿って延設された上記開封口の短手方向の両縁部をミシン目によって係止するとともに、当該長手方向の一端部側を上記台紙と一体に形成し、他端部側を断裁しているため、この断裁されている上記他端部側から、上記フラップ状の開封口を容易切り離すことができる。しかも、上記一端部側が上記台紙と一体になっているため、上記乾電池を保管する際には、上記フラップ状の開封口によって開口部を再度封止することができ、上記収納部への粉塵などの侵入を防止することができる。
【００１８】
そして、請求項３に記載の発明によれば、上記傾斜手段が、上記収納部の上記天板の外面に突出した突状部であるため、上記ケース本体を製造する際には、突状部を上記天板の外面に形成することにより、上記乾電池が転動して上記開口部に向かわせることができる。この結果、上記傾斜手段を設けるためにコストを掛けることなく、安価に製造することができる。
【００１９】
さらに、請求項４に記載の発明によれば、上記傾斜手段が、上記収納部の上記天板の内面に突出した突状部が、上記収納部の長手方向に延設されるため、傾斜の高低を付ける際に、低部を上記収納部の長手方向の任意の位置に設けることができる。したがって、上記開封口の位置を収納部の長手方向の端部近傍に設ける必要がなく、中央部近傍など任意の位置に設けることもできる。
【００２０】
また、上記収納部の上記天板の外面を平坦にすることができるため、複数の上記ブリスターパックを重ねて保管する際には、嵩張ることなく保管することができるとともに、店頭に吊して販売する際にも、見栄え良くディスプレーすることができる。
【００２１】
そして、請求項５に記載の発明によれば、ブリスターパックは、複数の乾電池を並列に収納する収納部がケース本体に形成され、上記収納部の開口面を閉塞させる台紙に設けられたフラップ状の開封口を上方に位置させた際に、上記乾電池を上記開封口に向かわせる折り返し可能な折曲部を上記台紙の一端部側に設けたため、上記乾電池を一つのみ取り出せる上記開封口であっても、上記乾電池は上記折曲部によって上記天板が傾斜して、一つ取り出す度に次ぎの乾電池が上記開封口の下方に転動される。これにより、複数の乾電池のうち、必要な数だけ容易に取り出すことができるとともに、未使用の乾電池の散乱を防ぎ、使用済みの乾電池と取り違えることを防止することができる。
【００２２】
また、上記折曲部は、上記台紙の一端部側に折り返し可能に形成するため、上記収納部などに加工を施すことなく、簡単な構造により製造することができる。この結果、製造コストを抑えるとともに、安価に製造することができる。
【００２３】
そして、請求項６に記載の発明によれば、ブリスターパックは、複数の乾電池を並列に収納する収納部がケース本体に形成され、上記収納部の開口面を閉塞させる台紙に設けられたフラップ状の開封口を上方に位置させた際に、上記乾電池を上記開封口に向かわせる折り返し可能な折曲フラップをフランジ部に設けたため、上記乾電池を一つのみ取り出せる上記開封口であっても、上記乾電池は上記折曲フラップによって上記天板が傾斜して、一つ取り出す度に次ぎの乾電池が上記開封口の下方に転動される。これにより、複数の乾電池のうち、必要な数だけ容易に取り出すことができるとともに、未使用の乾電池の散乱を防ぎ、使用済みの乾電池と取り違えることを防止することができる。
【００２４】
また、上記折曲フラップは、上記フランジ部に折り返し可能に形成するため、上記収納部などに加工を施すことなく、簡単な構造により製造することができる。この結果、製造コストを抑えるとともに、安価に製造することができる。
【図面の簡単な説明】
【００２５】
【図１】本発明のブリスターパックの第１の実施形態を示し、（ａ）は正面図、（ｂ）は側面図である。
【図２】本発明のブリスターパックの第１の実施形態を示す斜視図である。
【図３】本発明のブリスターパックの第１の実施形態を示し、（ａ）は天板の外面に設けた突状部を端部近傍に設けた状態の説明図、（ｂ）は天板の外面に設けた突状部を中央部近傍に設けた状態の説明図、（ｃ）は（ａ）のケース体の正面図、（ｄ）は（ｂ）のケース体の正面図である。
【図４】本発明のブリスターパックの第２の実施形態を示し、（ａ）は天板の内面に設けた突状部を長手方向の一端部から他端部に向けて傾斜させた状態の説明図、（ｂ）は天板の内面に設けた突状部を長手方向の両端部から中央に向けて傾斜させた状態の説明図、（ｃ）は（ａ）のケース体の斜視図、（ｄ）は（ｂ）のケース体の斜視図である。
【図５】本発明のブリスターパックの第３の実施形態を示し、（ａ）は台紙の一端部側に形成された折曲部を当該台紙の短手方向の一端部から他端部まで折り曲げ可能にした状態の説明図、（ｂ）は（ａ）の背面図である。
【図６】本発明のブリスターパックの第４の実施形態を示し、（ａ）はフランジ部に形成された折曲フラップをケース体の短手方向の一端部から他端部まで折り曲げ可能にした状態の説明図、（ｂ）は（ａ）の背面図である。
【発明を実施するための形態】
【００２６】
（第１の実施形態）
図１〜３は、本発明のブリスターパックの第１の実施形態を示すものである。
図１に示すように、本発明のブリスターパック１は、天板３ａと側壁３ｂとにより構成されて、複数の乾電池ｔを並列に収納する収納部３が形成されたケース体２と、このケース体２の収納部３の開口面を閉塞させる台紙４とを備え、この台紙４に乾電池ｔを少なくとも一つ取り出せるフラップ状の開封口５が設けられているとともに、収納部３の天板３ａに傾斜手段６が設けられて概略構成されている。
【００２７】
また、ケース体２の収納部３は、天板３ａが略長方形に形成されているとともに、この天板３ａの四方縁部に、側壁３ｂが垂設され一体に成形されている。また、この側壁３ｂの周縁部には、外方にフランジが周設され一体に成形されている。そして、収納部３の長手方向に延在する側壁３ｂの一側壁側には、乾電池ｔを立たせた状態にして保管するための凸部８が、側壁３ｂの外方に突出して形成されている。この凸部８は、側壁３ｂの短手方向に延在して設けられているとともに、収納部３と一体に成形されている。さらに、天板３ａの外面には、収納部３の長手方向の一端部側の端部近傍に、突状部６ａが一体に成形されている。この突状部６ａは、天板３ａの外面の短手方向に間隔を置いて２箇所設けられている。
【００２８】
そして、収納部３の開口面側には、この開口面を閉塞させる台紙４が、ケース体２と一体的に接合されている。この台紙４には、収納部３の長手方向の端部側の位置に、フラップ状の開封口５が形成されている。この開封口５は、収納部３の天板３ａの外面に形成された突状部６ａと反対側の位置に、乾電池ｔを少なくとも一つ取り出せる幅に形成されている。またフラップ状の開封口５は、乾電池ｔの長手方向に沿って延設され、短手方向の両縁部がミシン目により係止されているとともに、その長手方向の一端部５ｃ側が台紙４と一体に形成され、他端部５ｄ側が断裁されている。
【００２９】
さらに、台紙４には、ブリスターパック１をフックなどに吊すためのフック孔ｈが設けられている。このフック孔ｈは、収納部３の長手方向に沿って長孔が穿設されているとともに、長孔の短手方向の上側縁部の中央に凹部が形成されている。
【００３０】
以上の構成からなるブリスターパック１を用いて、収納されている乾電池ｔを取り出して使用および保管するには、まず図２に示すように、収納部３の天板３ａを机上の水平面上に載置する。次いで、台紙４に設けられている開封口５の断裁されている他端部５ｄ側から、両縁部５ａ，５ｂに形成されているミシン目に沿って切り離す。このとき、開封口５は、その一端部５ｃ側が台紙４と一体に形成されているため、上記ミシン目に沿って切り離しても、台紙４から離れることはない。従って、フラップ状の開封口５は、収納されている乾電池ｔを保管する際に、再度フラップ状の開封口５を穿設された開口部に閉塞させることができる。
【００３１】
そして、上記ミシン目より切り離した開封口５に形成された上記開口部より、乾電池ｔを取り出す。ことのとき、図３に示すように、収納部３の天板３ａの外面に形成された突状部６ａは、開封口５が収納部３の長手方向の反対側の端部近傍に形成されているため、開封口５の開口部より乾電池ｔを取り出すと、収納されている乾電池ｔが収納部３の天板３ａの傾斜により、開封口５に向かって転動され、必要に応じて次ぎの乾電池ｔを開封口５の開口部より取り出すことができる。
【００３２】
さらに、ブリスターパック１を保管するには、収納部３の天板３ａを机上の水平面上に載置した状態のまま、フラップ状の開封口５によって、上記開口部を閉塞して保管する。また、ブリスターパック１を立てた状態にして保管するには、収納部３に一体に成形された凸部８を水平面に当接させる。このとき凸部８は、台紙４の端部より内側に凸部８の頭頂部が位置しているため、収納部３の天板３ａ側に傾倒して保管される。これにより、台紙４に形成された開封口５の開口部から、乾電池ｔが抜け出すことなく保管することができる。
【００３３】
（第２の実施形態）
図４は、本発明のブリスターパックの第２の実施形態を示すものである。
図１〜３に示したものと同一構成部分は、同一符号を付して、その説明を簡略する。
【００３４】
この第２の実施形態では、傾斜手段６が図４（ａ）および図４（ｃ）に示すように、収納部３の天板３ａの内面に、収納部３の長手方向の一端部側から他端部側に漸次低くなる突状部６ｂが形成されている。この突状部６ｂは、天板３ａの内面の短手方向に、乾電池ｔを載置させる位置に間隔を置いて２箇所設けられている。
【００３５】
そして、収納部３の開口面側には、この開口面を閉塞させる台紙４が一体的に接合されている。この台紙４には、収納部３の長手方向の端部側の位置に、フラップ状の開封口５が形成されている。この開封口５は、収納部３の天板３ａの内面に形成された漸次低くなる突状部６ｂの最低部側の位置に、乾電池ｔを少なくとも一つ取り出せる幅に形成されている。またフラップ状の開封口５は、乾電池ｔの長手方向に沿って延設され、短手方向の両縁部５ａ，５ｂがミシン目により係止されているとともに、その長手方向の一端部５ｃ側が台紙４と一体に形成され、他端部５ｄ側が断裁されている。
【００３６】
以上の構成からなるブリスターパック１を用いて、収納されている乾電池ｔを取り出して使用および保管するには、まず図４（ｃ）に示すように、第１の実施形態の作用と同様に収納部３の天板３ａを机上の水平面上に載置し、台紙４に形成されている開口部５をミシン目に沿って切り離す。
【００３７】
次いで、上記ミシン目より切り離した開封口５により穿設された上記開口部より、乾電池ｔを取り出す。ことのとき、図４（ａ）に示すように、収納部３の天板３ａの内面に形成された漸次低くなる突状部６ｂの最低部側に、開封口５が形成されているため、開封口５の開口部より乾電池ｔを取り出すと、収納されている乾電池ｔが収納部３の天板３ａの内面に形成された突状部の傾斜により、開封口５に向かって転動され、必要に応じて乾電池ｔを開封口５の開口部より取り出すことができる。
【００３８】
さらに、ブリスターパック１を保管するには、第１の実施形態の作用と同様に行う。
【００３９】
（第３の実施形態）
図５は、本発明のブリスターパックの第３の実施形態を示すものである。
図１〜３に示したものと同一構成部分は、同一符号を付して、その説明を簡略する。
【００４０】
この第３の実施形態では、図５に示すように、台紙４０に乾電池ｔを少なくとも一つ取り出せるフラップ状の開封口５が設けられているとともに、台紙４０一端部４０ａ側に、開封口５を上方に位置させた際に、天板３ａ側に折り返し可能な折曲部９が形成されている。この台紙４０は、収納部３の開口面側を閉塞させ、ケース体２と一体的に接合されている。この台紙４０には、収納部３の長手方向の一端部４０ａ側に、収納部３の天板３ａ側に折り返し可能な折曲部９が形成されている。この折曲部９は、折り返した際に、収納部３の側壁３ｂの高さよりも高くなる幅によって、台紙４０の一端部４０ａ側に形成されている。また、収納部３の長手方向の一端部側に、フラップ状の開封口５が形成されている。この開封口５は、台紙４０の折曲部９と反対側の収納部３の長方向の一端部に、乾電池ｔを少なくとも一つ取り出せる幅に形成されている。
【００４１】
さらに、台紙４０には、ブリスターパック１をフックなどに吊すためのフック孔ｈが設けられている。このフック孔ｈは、収納部３の長手方向に沿って長孔が穿設されているとともに、長孔の短手方向の上側縁部の中央に凹部が形成されている。
【００４２】
以上の構成からなるブリスターパック１を用いて、乾電池ｔを取り出して使用および保管するには、まず図５に示すように、収納部３の天板３ａ側を机上の水平面上に位置させる。次いで、台紙４０の一端部４０ａ側に形成されている折曲部９を、収納部３の天板３ａ側に折り返す。このとき収納部３の天板３ａは、台紙４０の一端部４０ａ側の折曲部９の幅が、収納部３の側壁３ｂの高さよりも高くなるため、台紙４０に形成された開封口５に向かって漸次下がった状態になる。そして、台紙４０に設けられている開封口５の断裁されている他端部５ｄ側から、両縁部５ａ，５ｂに形成されているミシン目に沿って切り離す。このとき、開封口５は、その一端部５ｃ側が台紙４０と一体に形成されているため、上記ミシン目に沿って切り離しても、台紙４０から離れることなく、フラップ状の開封口５として、保管の際には、再度開封口５の開口部に閉塞させることができる。
【００４３】
そして、上記ミシン目より切り離した開封口５に形成された上記開口部より、乾電池ｔを取り出す。ことのとき、図５（ａ）に示すように、台紙４０の一端部４０ａ側に形成された折曲部９は、収納部３の側壁３ｂの高さより高くなるように、その幅が形成されているため、開封口５の開口部より乾電池ｔを取り出すと、収納されている乾電池ｔが収納部３の天板３ａの傾斜により、開封口５に向かって転動され、必要に応じて次の乾電池ｔを開封口５の上記開口部より取り出すことができる。
【００４４】
さらに、ブリスターパック１を保管するには、台紙４０の一端部４０ａ側の折曲部９を折り返したまま収納部３の天板３ａ側を机上の水平面上に載置して、フラップ状の開封口５を上記開口部に閉塞させて保管する。又は、台紙４０の一端部４０ａ側の折曲部９を水平に戻し、収納部３の天板３ａを水平面に載置して、フラップ状の開封口５を上記開口部に閉塞させて保管する。さらに、ブリスターパック１を立てた状態にして収納するには、第１の実施形態の作用と同様に行う。
【００４５】
（第４の実施形態）
図６は、本発明のブリスターパックの第４の実施形態を示すものである。
図１〜３に示したものと同一構成部分は、同一符号を付して、その説明を簡略する。
【００４６】
この第４の実施形態では、図６に示すように、複数の乾電池ｔが並列に収納される収納部３の側壁３ｂの縁部に、外方に延設されるフランジ部７が一体に形成されたケース体２０と、このケース体２０の収納部３の開口面を閉塞させる台紙４１とを備え、この台紙４１に乾電池ｔを少なくとも一つ取り出せるフラップ状の開封口５が設けられているとともに、ケース体２０のフランジ部７に、開封口５を上方に位置させた際に、天板３側に折り返し可能な折曲フラップ７ａが形成されている。この折曲フラップ７ａは、折り返した際に、収納部３の側壁３ｂの高さよりも高くなる幅に形成されているとともに、ケース体２１の短手方向の一端部から他端部まで折り返し可能に形成されている。
【００４７】
さらに、収納部３の開口面側には、この開口面を閉塞させる台紙４１が、ケース体２と一体的に接合されている。この台紙４は、折り返し可能な折曲フラップ７ａとともに、収納部３の天板３ａ側に折り返し可能に形成されている。また台紙４１には、収納部３に収納されている乾電池ｔを取り出すための開封口５が形成されている。この開封口５は、フランジ部７に形成されている折曲フラップ７ａと反対側の収納部３の端部近傍に、乾電池ｔを少なくとも一つ取り出せる幅に形成されている。
【００４８】
さらに、台紙４１には、ブリスターパック１をフックなどに吊すためのフック孔ｈが設けられている。このフック孔ｈは、収納部３の長手方向に沿って長孔が穿設されているとともに、長孔の短手方向の上側縁部の中央に凹部が形成されている。
【００４９】
以上の構成からなるブリスターパック１を用いて、乾電池ｔを取り出して使用および保管するには、まず図６に示すように、収納部３の天板３ａ側を机上の水平面上に位置させる。次いで、ケース体２０のフランジ部７に形成されている折曲フラップ７ａを、収納部３の天板３ａ側に折り返す。このとき収納部３の天板３ａは、フランジ部７と反対側に向かって漸次下がった状態になる。
【００５０】
そして、第１の実施形態同様に、ミシン目より切り離した開封口５に形成された上記開口部より、乾電池ｔを取り出す。ことのとき、図６（ａ）に示すように、収納部３の天板３ａは、開封口５に向かって漸次下がっているため、開封口５の上記開口部より乾電池ｔを取り出すと、収納されている乾電池ｔが収納部３の天板３ａの傾斜により、開封口５に向かって転動され、必要に応じて別の乾電池ｔを開封口５の上記開口部より取り出すことができる。
【００５１】
また、ブリスターパック１を保管するには、フランジ部７の折曲フラップ７ａを収納部３の天板３ａ側に折り返した状態のまま、フラップ状の開封口５を上記開口部に閉塞させて保管する。また、ブリスターパック１を立てた状態にして収納するには、第１の実施形態同様の作用により行う。
【００５２】
上述の実施形態のブリスターパック１によれば、ブリスターパック１は、複数の乾電池ｔを並列に収納する収納部３がケース本体２に形成され、この収納部３の天板３ａ側を水平面に載置して、収納部３の開口面を閉塞させる台紙４に設けられたフラップ状の開封口５を上方に位置させた際に、乾電池ｔを開封口５に向かわせる傾斜手段６を設けたため、乾電池ｔを一つのみ取り出せる開封口５であっても、乾電池ｔは傾斜手段６によって開封口５に向かって転動され、一つ取り出す度に次ぎの乾電池ｔが開封口５の下方に位置する。これにより、複数の乾電池ｔのうち、必要な数だけ容易に取り出すことができるとともに、未使用の乾電池ｔの散乱を防ぎ、使用済みの乾電池と取り違えることを防止することができる。
【００５３】
また、フラップ状の開封口５が、乾電池ｔの長手方向に沿って延設された開封口５の短手方向の両縁部５ａ，５ｂをミシン目によって係止するとともに、当該長手方向の一端部５ｃ側を台紙４と一体に形成し、他端部５ｄ側を断裁しているため、この断裁されている他端部５ｄ側から、フラップ状の開封口５を容易切り取ることができる。しかも、一端部５ｃ側が台紙４と一体になっているため、乾電池ｔを保管する際には、フラップ状の開封口５によって開口部に再度封止することができ、収納部への粉塵などの侵入を防止することができる。
【００５４】
そして、収納部３の長手方向に延在する側壁３ｂの一側面に、ブリスターパック１を立たせた際に、水平面に当接する凸部８を設けたため、未使用の乾電池ｔを保管する際に、立てた状態で保管することができる。これにより、場所を取ることなく保管することができるとともに、販売の際には、吊すだけでなく、立てた状態のまま展示して販売することができる。また、凸部８の頭頂部が台紙４の端部より内側に位置しているため、収納部３の天板３ａ側に傾倒するため、台紙４に形成された開封口５の上記開口部から、乾電池ｔが抜け出すことなく保管することができる。
【００５５】
さらに、第１の実施形態によれば、傾斜手段６が、収納部３の天板３ａの外面に突出した突状部６ａであるため、ケース本体２を製造する際には、突状部６ａを天板３ａの外面に形成することにより、乾電池ｔが転動して開口部５の下方に位置させることができる。この結果、製造コストを掛けることなく製造することができる。
【００５６】
また、第２の実施形態によれば、傾斜手段６は、収納部３の天板３ａの内面に突出した突状部６ｂが、収納部３の天板３ａの長手方向に延設されるため、傾斜の高低を付ける際に、低部を収納部３の長手方向の任意の位置に設けることができる。これにより、開封口５の位置を収納部３の長手方向の端部近傍に設ける必要がなく、中央部近傍など任意の位置に設けることもできる。
【００５７】
そして、収納部３の天板３ａの外面を平坦にすることができるため、複数の上記ブリスターパック１を重ねて収納する際には、嵩張ることなく収納することができるとともに、店頭に吊して販売する際にも、見栄え良くディスプレーすることができる。
【００５８】
さらに、第３の実施形態によれば、ブリスターパック１は、複数の乾電池ｔを並列に収納する収納部３がケース本体２に形成され、収納部３の開口面を閉塞させる台紙４０に設けられたフラップ状の開封口５を上方に位置させた際に、乾電池ｔを開封口５に向かわせる折り返し可能な折曲部９を台紙４０の一端部４０ａ側に設けたため、乾電池ｔを一つのみ取り出せる開封口５であっても、乾電池ｔは折曲部９によって天板３ａが傾斜して、一つ取り出す度に次ぎの乾電池ｔが開封口５の下方に転動される。これにより、複数の乾電池ｔのうち、必要な数だけ容易に取り出すことができるとともに、未使用の乾電池ｔの散乱を防ぎ、使用済みの乾電池ｔと取り違えることを防止することができる。
【００５９】
また、折曲部９は、折り返し可能に台紙４０の一端部４０ａ側に形成するため、収納部３などに加工を施すことなく、簡単な構造により製造することができる。この結果、製造コストを抑えるとともに、安価に製造することができる。
【００６０】
そして、第４の実施形態によれば、ブリスターパック１は、複数の乾電池ｔを並列に収納する収納部３がケース本体２０に形成され、収納部３の開口面を閉塞させる台紙４１に設けられたフラップ状の開封口５を上方に位置させた際に、乾電池ｔを開封口５に向かわせる折り返し可能な折曲フラップ７ａをフランジ部７に設けたため、乾電池ｔを一つのみ取り出せる開封口５であっても、乾電池ｔは折曲フラップ７ａによって転動され、一つ取り出す度に次ぎの乾電池ｔが開封口５の下方に位置する。これにより、複数の乾電池ｔのうち、必要な数だけ容易に取り出すことができるとともに、未使用の乾電池ｔの散乱を防ぎ、使用済みの乾電池ｔと取り違えることを防止することができる。
【００６１】
また、折曲フラップ７ａは、フランジ部７に折り返し可能に形成するため、収納部３などに加工を施すことなく、簡単な構造により製造することができる。これにより、製造コストを抑えるとともに、安価に製造することができる。
【００６２】
なお、上記第１の実施形態において、収納部３の天板３ａの外面に突出した突状部６ａを、円形の突状部６ａを２箇所用いる場合についてのみ説明したが、これに限定されるものではなく、例えば、図３（ｄ）に示すように、収納部３の天板３ａの短手方向に延在する突状部６ａでも対応可能である。
また、上記第１の実施形態において、収納部３の天板３ａの外面に突出した突状部６ａの位置を、収納部３の天板３ａの長手方向の端部近傍の開封口５と反対側に用いる場合についてのみ説明したが、これに限定されるものではなく、例えば、図３（ｂ）に示すように、収納部３の天板３ａの中央近傍に設けても対応可能である。この場合には、乾電池ｔが開封口５に向かわせる傾斜であれば、任意の位置に突状部６ａを設けることが可能である。
そして、上記第２の実施形態において、収納部３の天板３ａの内面に突出する突状部６ｂを、収納体３の天板３ａの長手方向の一端部から他端部に漸次低くなる突状部６ｂを用いる場合についてのみ説明したが、これに限定されるものではなく、例えば、図４（ｂ）および図４（ｄ）に示すように、収納体３の天板３ａの長手方向の両端部から中央部に向かって漸次低くなる突状部６ｂを用いても対応可能である。この場合に開封口５は、収納体３の長手方向の中央部に設けられることになる。
【産業上の利用可能性】
【００６３】
複数の乾電池を並列に収納する際に利用することができる。
【符号の説明】
【００６４】
１      ブリスターパック
２      ケース体
３      収納部
３ａ    天板
３ｂ    側壁
４      台紙
５      開封口
５ａ    縁部  
５ｂ    縁部  
５ｃ    一端部
５ｄ    他端部
６      傾斜手段
６ａ    突状部
６ｂ    突状部
７      フランジ部  
７ａ    折曲フラップ
９      折曲部
２０    ケース体
４０    台紙  
４０ａ  一端部
４１    台紙
ｔ      乾電池
【図１】
2010228773.tif 000003
【図２】
2010228773.tif 000004
【図３】
2010228773.tif 000005
【図４】
2010228773.tif 000006
【図５】
2010228773.tif 000007
【図６】
2010228773.tif 000008